(57)【要約】【課題】再送周期の長いＮＩＴにより、各周波数でデジタル放送が放送されていないことの確認をアナログ放送以外の全周波数に行うと、かなりの時間がかかる。【解決手段】その瞬間にテレビが見られるかどうかという問題に限定すれば、ＰＡＴの取得可否判定のみで十分である。このようにある種の再送周期が長い番組情報の有無の確認を、他の再送周期が短い番組情報で行うことによって、より高速なデジタル放送の受信可否判定を行うことが可能となる。これにより、全周波数に対してデジタル放送が受信可能かどうかの確認を行う操作が飛躍的に高速になる。【選択図】  図１
2004289531.tif 000002
【特許請求の範囲】
【請求項１】
符号化手法により多重化された複数の番組を復元するために所定の再送周期で放送される情報である番組目次情報が、一の放送周波数に対して複数種類ある場合に、
前記放送周波数が複数含まれる放送周波数帯のいずれか一の放送周波数に同調する同調部と、
前記複数種類の番組目次情報のうち、最も再送周期が短い最速番組目次情報を所定の時間内に取得できるか判断する判断部と、
前記判断部にて、最速番組目次情報を取得できた場合には、前記放送周波数にある他の番組目次情報である他番組目次情報を取得し、前記判断部にて、最速番組目次情報を取得できない場合には、前記他番組目次情報を取得しない他番組目次情報処理部と、
前記他番組目次情報処理部での番組目次情報処理の後に、前記放送周波数帯に未同調の周波数があるか判断する未同調周波数有無判断部と、
を有する放送サーチ装置。
【請求項２】
前記最速番組目次情報は、ＰＡＴであり、前記他番組目次情報は、ＮＩＴである請求項１に記載の放送サーチ装置。
【請求項３】
符号化手法により多重化された複数の番組を復元するために所定の再送周期で放送される情報である番組目次情報が、一の放送周波数に対して複数種類ある場合に、
前記放送周波数が複数含まれる放送周波数帯のいずれか一の放送周波数に同調する同調ステップと、
前記同調ステップにて同調した一の放送周波数にて前記複数種類の番組目次情報のうち、最も再送周期が短い最速番組目次情報を所定の時間内に取得できるか判断する判断ステップと、
前記判断ステップにて、最速番組目次情報を取得できた場合には、前記放送周波数にある他の番組目次情報である他番組目次情報を取得して処理を終了する他番組目次情報処理ステップとを有し、
前記判断ステップにて、最速番組目次情報を取得できない場合には、前記同調ステップに戻り、前記その後の処理を繰り返す
放送サーチ方法。
【請求項４】
符号化手法により多重化された複数の番組を復元するために所定の再送周期で放送される情報である番組目次情報が、一の放送周波数に対して複数種類ある場合に、
前記複数種類の番組目次情報のうち、最も再送周期が短い最速番組目次情報を所定の時間内に取得できるか判断する判断ステップと、
前記判断ステップにて、最速番組目次情報を取得できた場合には、前記放送周波数にある他の番組目次情報である他番組目次情報を取得し、前記判断ステップにて、最速番組目次情報を取得できない場合には、前記他番組目次情報を取得しない他番組目次情報処理ステップと、
を有する放送サーチ方法。
【発明の詳細な説明】
【０００１】
【発明の属する技術分野】
本発明は、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を用いたデジタル放送システムに関するものである。
【０００２】
【従来の技術】
一般に、デジタル放送システムを受信するためには、ＰＳＩ（ＰｒｏｇｒａｍＳｐｅｃｉｆｉｃ  Ｉｎｆｏｒｍａｔｉｏｎ）と呼ばれる番組特定情報を取得する必要がある。
【０００３】例えばＢＳデジタル放送では、ＰＳＩとしてＮＩＴ（Ｎｅｔｗｏｒｋ  Ｉｎｆｏｒｍａｔｉｏｎ  Ｔａｂｌｅ）と呼ばれるネットワーク情報テーブルを受信することで、その周波数にデジタル放送システムが伝送されていることを知る。さらにデジタル放送で放送されている各周波数で放送されているサービス番号を知る。
【０００４】次にＰＳＩとしてＰＡＴ（Ｐｒｏｇｒａｍ  Ａｓｓｏｃｉａｔｉｏｎ  Ｔａｂｌｅ）と呼ばれるテーブルを受信し、実際にサービスが放送されているかどうかを確認する。
【０００５】次にＰＳＩとしてＰＭＴ（Ｐｒｏｇｒａｍ  Ｍａｐ  Ｔａｂｌｅ）と呼ばれるテーブルを受信し、受信したいサービスに流れている映像や音声のＥＳ（Ｅｌｅｍｅｎｔａｒｙ  Ｓｔｒｅａｍ）のＰＩＤ（Ｐａｃｋｅｔ  Ｉｄｅｎｔｉｆｉｅｒ）を取得する。そして、そのＰＩＤを設定することでデジタル放送を視聴することが可能となる。
【０００６】
また一般に、デジタル放送システムを同調可能な周波数において、受信可能なサービスすべてを確認するためには、最初にＮＩＴを取得する必要がある。しかし、この時取得するＮＩＴは再送周期が長いため、取得に時間がかかる。ここで「再送周期」とは、デジタル放送システムの送信装置が、ＮＩＴを周期的に送出する周期のことをいう。
【０００７】
もし、ＮＩＴが取得できない場合は、同調した周波数には受信可能なサービスが放送されていないと判断する。ＮＩＴ再送周期の２倍以上の時間、ＮＩＴが取得できないときに受信可能なサービスが放送されていないと判断する場合、この判定にはＢＳデジタル放送、ＣＳデジタル放送では２０秒以上の時間がかかる。さらに、地上デジタル放送でも２秒以上の時間がかかる。
【０００８】
このように、受信可能サービスが放送されていないことの確認には非常に時間がかかっていた。
【０００９】
このため、ＮＩＴの取得を高速にすることを目的とした従来技術に特開平９−９１５６号公報「ディジタル衛星放送における番組切替方法およびディジタル衛星放送受信装置」がある。この特許では、ＮＩＴのパケットの識別情報が指示されてから当該識別情報に対応するパケットを受信し分離するまでの時間を最短とする。これにより、ネットワーク情報（ＮＩＴ）の取得のための無駄な待ち時間を減らし、ネットワーク情報のパケットの取得時間を短くしている。
【００１０】
ここで、従来の放送サーチ装置を以下に説明する。
【００１１】
＜＜従来の放送サーチ装置＞＞
【００１２】
図７に示すのは、従来の放送サーチ装置の説明図である。
従来の放送サーチ装置は、同調部０７０１と、ＮＩＴ処理部０７０２と、未同調周波数有無判断部０７０３と、からなる。
【００１３】
（同調部）
【００１４】
同調部は、複数の放送周波数を含む放送周波数帯の一の放送周波数に同調する。
【００１５】
放送周波数に同調できた場合は引き続きＮＩＴ処理部にてＮＩＴの取得処理を行う。この放送周波数に同調できなければ未同調周波数有無判断部の処理を行う。
【００１６】
（ＮＩＴ処理部）
【００１７】
ＮＩＴ処理部は、放送周波数に同調できた場合に、その周波数のＮＩＴの取得処理を行う。
【００１８】
ＮＩＴ取得に成功した場合には、その放送周波数にてデジタル放送受信可能と判断し、受信情報を選局システムに登録する。そして、未同調周波数有無判断部の処理を行う。ＮＩＴ取得に失敗した場合には、その放送周波数にてデジタル放送受信不可能と判断し、未同調周波数有無判断部の処理を行う。
【００１９】
（未同調周波数有無判断部）
【００２０】
未同調周波数有無判断部は、同調部にて未同調の周波数があるか判断する。
【００２１】
未同調周波数有無判断部にて未同調周波数がある場合には、同調部に戻る。未同調周波数有無判断部にて未同調周波数が無い場合には、処理を終了する。
【００２２】
＜処理の流れ＞
【００２３】
従来の放送サーチ装置の処理の流れを、図８を用いて説明する。
全周波数サーチを行う際には同調ならびにＮＩＴ取得を受信可能な全周波数について行う必要がある。
【００２４】
最初に、周波数のサーチを開始する。
【００２５】
次に、周波数の同調を行う（ステップＳ０８０１）。この周波数に同調できなければステップＳ０８０３の処理を行う。同調できた場合はステップＳ０８０２に進む。
【００２６】
次に、ステップＳ０８０１にて周波数の同調ができた場合には、ＮＩＴの取得処理を行う（ステップＳ０８０２）。
【００２７】
ステップＳ０８０２においてＮＩＴが再送周期１秒の２．２倍である２．２秒間のうちに取得できれば、その周波数には地上デジタル放送が運用されていると判断し、受信可能とする。そして、受信情報を選局システムに登録し、ステップＳ０８０３に進む。ＮＩＴが再送周期１秒の２．２倍である２．２秒間に取得できない場合はその周波数では地上デジタル放送は運用されていないと判断し、受信不可能とする。そして、ステップＳ０８０３に進む。
【００２８】
次に、受信可能、不可能に関わらず、受信可能な周波数でサーチが終了していない周波数が残っているかどうかの判定を行う（ステップＳ０８０３）。
サーチしていない周波数があればステップＳ０８０１に戻る。
【００２９】
この一連の動作を同調可能な周波数が無くなるまで繰り返し、同調可能な周波数が無くなったところで周波数サーチ完了とする。
【００３０】
上記処理の流れのうち、ＮＩＴが取得できない場合の判定に使う２．２秒を縮めることは不可能である。
【００３１】
【特許文献１】
特開平９−９１５６号
【００３２】
【発明が解決しようとする課題】
しかしながら、前述の如く、従来の発明では、待ち時間の短縮によりＮＩＴを高速に取得することは可能であるが、ＮＩＴ再送周期以上に高速にＮＩＴを取得することはできない。そのため、同調された以外の全周波数に対して、デジタル放送が受信できないことの判定を速めることには限界がある。
【００３３】
つまり、ＮＩＴ再送周期が長いということは、サービスされている全てのデジタル放送が受信可能になるまでの時間が長くかかるということである。
【００３４】
現在のＢＳデジタル放送、ＣＳデジタル放送では、受信中の周波数にて、その受信中の周波数のＮＩＴだけでなく、他の周波数のＮＩＴも受信可能であるため、全周波数に対してＮＩＴを取得して回る必要は無い。
【００３５】
しかし、地上デジタル放送のように周波数毎に独立したＮＩＴを送出するようになった場合、全周波数に対してＮＩＴを取得することが必要となってくる。そのため再送周期の長いＮＩＴにより、各周波数でデジタル放送が放送されていないことの確認をアナログ放送以外の全周波数に行うと、かなりの時間がかかる。
【００３６】
本発明は、斯かる実情に鑑み、サービスされている全てのデジタル放送が受信可能になるまでの時間を短縮しようとするものである。
【００３７】
【課題を解決するための手段】
本発明は、再送周期の長いＮＩＴの代わりに、再送周期の短いＰＡＴを利用して各周波数でデジタル放送が放送されていないことの確認を行うことを特徴とする放送サーチ方法にかかるものである。
【００３８】
上記手段によれば、以下のような作用が得られる。
【００３９】
デジタル放送が放送されていないことを判定するためには、前述のようにＮＩＴが取得できないことを確認する必要がある。
【００４０】
しかし、その周波数に現在番組が放送されているか否かの判定だけであれば、ＰＡＴが取得できるかどうかの判定だけで十分である。
【００４１】
つまり、その瞬間にテレビが見られるかどうかという問題に限定すれば、ＰＡＴの取得可否判定のみで十分である。このようにある種の再送周期が長い番組情報の有無の確認を、他の再送周期が短い番組情報で行うことによって、より高速なデジタル放送の受信可否判定を行うことが可能となる。これにより、全周波数に対してデジタル放送が受信可能かどうかの確認を行う操作が飛躍的に高速になる。
【００４２】
第一の発明は、符号化手法により多重化された複数の番組を復元するために所定の再送周期で放送される情報である番組目次情報が、一の放送周波数に対して複数種類ある場合に、前記放送周波数が複数含まれる放送周波数帯のいずれか一の放送周波数に同調する同調部と、前記複数種類の番組目次情報のうち、最も再送周期が短い最速番組目次情報を所定の時間内に取得できるか判断する判断部と、前記判断部にて、最速番組目次情報を取得できた場合には、前記放送周波数にある他の番組目次情報である他番組目次情報を取得し、前記判断部にて、最速番組目次情報を取得できない場合には、前記他番組目次情報を取得しない他番組目次情報処理部と、前記他番組目次情報処理部での番組目次情報処理の後に、前記放送周波数帯に未同調の周波数があるか判断する未同調周波数有無判断部と、を有する放送サーチ装置に関する。
【００４３】
第二の発明は、前記最速番組目次情報は、ＰＡＴであり、前記他番組目次情報は、ＮＩＴである請求項１に記載の放送サーチ装置に関する。
【００４４】
第三の発明は、符号化手法により多重化された複数の番組を復元するために所定の再送周期で放送される情報である番組目次情報が、一の放送周波数に対して複数種類ある場合に、前記放送周波数が複数含まれる放送周波数帯のいずれか一の放送周波数に同調する同調ステップと、前記同調ステップにて同調した一の放送周波数にて前記複数種類の番組目次情報のうち、最も再送周期が短い最速番組目次情報を所定の時間内に取得できるか判断する判断ステップと、前記判断ステップにて、最速番組目次情報を取得できた場合には、前記放送周波数にある他の番組目次情報である他番組目次情報を取得して処理を終了する他番組目次情報処理ステップとを有し、前記判断ステップにて、最速番組目次情報を取得できない場合には、前記同調ステップに戻り、前記その後の処理を繰り返す放送サーチ方法に関する。
【００４５】
第四の発明は、符号化手法により多重化された複数の番組を復元するために所定の再送周期で放送される情報である番組目次情報が、一の放送周波数に対して複数種類ある場合に、前記複数種類の番組目次情報のうち、最も再送周期が短い最速番組目次情報を所定の時間内に取得できるか判断する判断ステップと、前記判断ステップにて、最速番組目次情報を取得できた場合には、前記放送周波数にある他の番組目次情報である他番組目次情報を取得し、前記判断ステップにて、最速番組目次情報を取得できない場合には、前記他番組目次情報を取得しない他番組目次情報処理ステップと、を有する放送サーチ方法に関する。
【００４６】
【発明の実施形態】
＜＜実施形態１＞＞
【００４７】
＜実施形態１の概念＞
【００４８】
実施形態１は、符号化手法により多重化された複数の番組を復元するために所定の再送周期で放送される情報である番組目次情報が、一の放送周波数に対して複数種類ある場合に、全ての放送周波数について、視聴可能な全サービスの確認を、再送周期の長い番組目次情報の代わりに、再送周期の短い番組目次情報で行うことを特徴とする放送サーチ装置に関する。
【００４９】
＜放送サーチ装置＞
【００５０】
図１に示すのは、実施形態１の放送サーチ装置の説明図である。
実施形態１の放送サーチ装置は、同調部０１０１と、判断部０１０２と、他番組目次情報処理部０１０３と、未同調周波数有無判断部０１０４と、からなる。
【００５１】
（同調部）
【００５２】
同調部は、放送周波数が複数含まれる放送周波数帯のいずれか一の放送周波数に同調する。
【００５３】
放送周波数に同調できた場合は引き続き判断部にて、最速番組目次情報の取得処理を行う。この放送周波数に同調できなければ未同調周波数有無判断部の処理を行う。
【００５４】
（判断部）
【００５５】
判断部は、複数種類の番組目次情報のうち、最も再送周期が短い最速番組目次情報を所定の時間内に取得できるか判断する。
【００５６】
ここで「番組目次情報」とは、符号化手法により多重化された複数の番組を復元するために所定の再送周期で放送される情報をいう。
【００５７】
番組目次情報には、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）、ＥＩＴ（Ｅｖｅｎｔ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＳＩＴ（Ｓｅｌｅｃｔｉｏｎ  Ｉｎｆｏｒｍａｔｉｏｎ  Ｔａｂｌｅ）などが該当する。
【００５８】
最速番組目次情報を取得できた場合には、デジタル番組視聴可能と判断し、他番組目次情報処理部の処理を行う。また、最速番組目次情報を取得できない場合には、デジタル番組視聴不可能と判断し、未同調周波数有無判断部の処理を行う。
【００５９】
（他番組目次情報処理部）
【００６０】
他番組目次情報処理部は、判断部にて、最速番組目次情報を取得できた場合には、同一の放送周波数にある他の番組目次情報である他番組目次情報を取得し、判断部にて、最速番組目次情報を取得できない場合には、前記他番組目次情報を取得しない。
【００６１】
ここで「他番組目次情報」とは、一の放送周波数にある最速番組目次情報以外の他の番組目次情報のことをいう。
【００６２】
他番組目次情報取得処理後、受信情報を選局システムに登録し、未同調周波数有無判断部の処理を行う。
【００６３】
（未同調周波数有無判断部）
【００６４】
未同調周波数有無判断部は、他番組目次情報処理部の後に、放送周波数帯に未同調の周波数があるか判断する。
【００６５】
未同調周波数があると判断された場合には、同調部に戻る。未同調周波数がないと判断された場合には処理を終了する。
【００６６】
＜処理の流れ＞
【００６７】
実施形態１においては、他番組目次情報取得処理の前に最速番組目次情報が取得可能であるかどうかの判定を入れる。
【００６８】
図２に示すのは、実施形態１の放送サーチ装置の処理の流れである。
【００６９】
最初に、周波数のサーチを開始する。
【００７０】
次に、周波数の同調を行う（ステップＳ０２０１）。この周波数に同調できなければステップＳ０２０４の処理を行う。同調できた場合はステップＳ０２０２に進む。
【００７１】
次に、最速番組目次情報の取得処理を行う（ステップＳ０２０２）。最速番組目次情報が再送周期の所定倍数の時間内に取得できれば、その周波数には地上デジタル放送が運用されていると判断する。そしてステップＳ０２０３に進む。最速番組目次情報が再送周期の所定倍数の時間内に取得できない場合は、その周波数では地上デジタル放送は視聴不可能とし、他番組目次情報の取得処理は行わず、ステップＳ０２０４に進む。
【００７２】
次に、ステップＳ０２０２にて最速番組目次情報を取得できた場合には、他番組目次情報の取得処理を行い（ステップＳ０２０３）、受信情報を選局システムに登録し、ステップＳ０２０４に進む。
【００７３】
次に、受信可能、不可能に関わらず、受信可能な周波数でサーチが終了していない周波数が残っているかどうかの判定を行う（ステップＳ０２０４）。
【００７４】
この一連の動作を同調可能な周波数が無くなるまで繰り返し、同調可能な周波数が無くなったところで周波数サーチ完了とする。
【００７５】
＜効果＞
【００７６】
このように、他番組目次情報より再送周期の短い最速番組目次情報の取得を利用することで、他番組目次情報のみで全局サーチを行った時に比べて、１周波数あたり約（＜他番組目次情報の再送周期の定数倍＞−＜最速番組目次情報の再送周期の定数倍＞）の時間だけ判定が速くなる。
【００７７】
＜＜実施形態２＞＞
【００７８】
＜実施形態２の概念＞
【００７９】
地上デジタル放送では、周波数毎に別々のＮＩＴが伝送される。したがって、ユーザーが視聴可能な全サービスを確認するためには、チューナーが受信可能な全周波数を確認する必要がある。
実施形態２は、最速番組目次情報がＰＡＴであり、他番組目次情報がＮＩＴであることを特徴とする実施形態１に記載の放送サーチ装置に関する。
【００８０】
＜放送サーチ装置＞
【００８１】
図３に示すのは、実施形態２の放送サーチ装置の説明図である。
実施形態２の放送サーチ装置は、同調部０３０１と、判断部０３０２と、ＮＩＴ処理部０３０３と、未同調周波数有無判断部０３０４と、からなる。
【００８２】
（同調部）
【００８３】
最速番組目次情報をＰＡＴ、他番組目次情報をＮＩＴに置き換える点以外は、実施形態１の（同調部）の説明と同様なので、説明を省略する。
【００８４】
（判断部）
【００８５】
ＰＡＴとは、ＰＳＩを構成するテーブルの一つで、番組番号とその番組に対応するＰＭＴ、ＣＡＴ、ＮＩＴのトランスポートストリームのＰＩＤを示すテーブルである。そしてＰＡＴが受信可能であるということは、現在その周波数で地上デジタル放送が視聴可能ということである。
【００８６】
上記の他、最速番組目次情報をＰＡＴ、他番組目次情報をＮＩＴに置き換える点以外は、実施形態１の（判断部）の説明と同様なので、説明を省略する。
【００８７】
（ＮＩＴ処理部）
【００８８】
ＮＩＴとは、放送されているチャンネルのリスト、各チャンネルを送っている伝送チャンネルの物理的情報等をいう。そしてＮＩＴを取得可能であるということの意味は、その周波数に地上デジタル放送が伝送されているという事である。上記の他、最速番組目次情報をＰＡＴ、他番組目次情報をＮＩＴに置き換える点以外は、実施形態１の（他番組目次情報処理部）の説明と同様なので、説明を省略する。
【００８９】
（未同調周波数有無判断部）
【００９０】
最速番組目次情報をＰＡＴ、他番組目次情報をＮＩＴに置き換える点以外は、実施形態１の（未同調周波数有無判断部）の説明と同様なので、説明を省略する。
【００９１】
＜処理の流れ＞
【００９２】
実施形態２においては、ＮＩＴ取得処理の前にＰＡＴが取得可能であるかどうかの判定を入れる。現在視聴可能なサービスに関してのみ、受信可能サービスの一覧を取得したい場合には、ＰＡＴが取得可能な周波数のＮＩＴのみを受信すればよい。
【００９３】
図４に示すのは、実施形態３の放送サーチ装置の処理の流れである。
【００９４】
最初に、周波数のサーチを開始する。
【００９５】
次に、周波数の同調を行う（ステップＳ０４０１）。この周波数に同調できなければステップＳ０４０４の処理を行う。同調できた場合はステップＳ０４０２に進む。
【００９６】
次に、ステップＳ０４０１にて、周波数に同調できればＰＡＴの取得処理を行う（ステップＳ０４０２）。ＰＡＴが再送周期０．１秒の２．２倍である０．２２秒間のうちに取得できれば、その周波数には地上デジタル放送が運用されていると判断する。そしてステップＳ０４０３に進む。ＰＡＴが再送周期０．１秒の２．２倍である０．２２秒間のうちに取得できない場合はその周波数では地上デジタル放送は視聴不可能とし、ＮＩＴの取得処理は行わず、ステップＳ０４０４に進む。
【００９７】
次に、ステップＳ０４０２にてＰＡＴが取得できれば、ＮＩＴの取得処理を行い（ステップＳ０４０３）、受信情報を選局システムに登録する。
【００９８】
次に、受信可能、不可能に関わらず、受信可能な周波数でサーチが終了していない周波数が残っているかどうかの判定を行う（ステップＳ０４０４）。
この一連の動作を同調可能な周波数が無くなるまで繰り返し、同調可能な周波数が無くなったところで周波数サーチ完了とする。
【００９９】
＜効果＞
【０１００】
ＮＩＴの再送周期は１秒であり、ＰＡＴの再送周期０．１秒である。
このようにＮＩＴより再送周期の短いＰＡＴの取得を利用することで、ＮＩＴのみで全局サーチを行った時に比べて、１周波数あたり約（＜ＮＩＴの再送周期の２．２倍＞−＜ＰＡＴの再送周期の２．２倍＞）＝約２秒、判定が速くなる。
【０１０１】
＜＜実施形態３＞＞
【０１０２】
＜実施形態３の概念＞
【０１０３】
実施形態３は、視聴可能なサービスの確認を、再送周期の長い番組目次情報の代わりに、再送周期の短い番組目次情報で行うことを特徴とする放送サーチ方法に関する。実施形態３では、一の周波数に限定されずに、複数の周波数に亘ってサーチすることも可能である。
【０１０４】
＜放送サーチ方法＞
【０１０５】
図５に示すのは、実施形態１の放送サーチ方法の説明図である。
実施形態３の放送サーチ方法は、同調ステップＳ０５０１と、判断ステップＳ０５０２と、他番組目次情報処理ステップＳ０５０３と、からなる。
【０１０６】
（同調ステップ）
【０１０７】
同調ステップは、符号化手法により多重化された複数の番組を復元するために所定の再送周期で放送される情報である番組目次情報が、一の放送周波数に対して複数種類ある場合に、放送周波数が複数含まれる放送周波数帯のいずれか一の放送周波数に同調する。
【０１０８】
（判断ステップ）
【０１０９】
判断ステップは、同調ステップにて同調した一の放送周波数にて複数種類の番組目次情報のうち、最も再送周期が短い最速番組目次情報を所定の時間内に取得できるか判断する。
【０１１０】
ここで「番組目次情報」とは、符号化手法により多重化された複数の番組を復元するために所定の再送周期で放送される情報をいう。
番組目次情報には、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）、ＥＩＴ（Ｅｖｅｎｔ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＳＩＴ（Ｓｅｌｅｃｔｉｏｎ  Ｉｎｆｏｒｍａｔｉｏｎ  Ｔａｂｌｅ）などが該当する。
【０１１１】
最速番組目次情報を取得できた場合には、放送周波数にある他の番組目次情報である他番組目次情報を取得して処理を終了する。最速番組目次情報を取得できない場合には、同調ステップに戻り、その後の処理を繰り返す。
【０１１２】
（他番組目次情報処理ステップ）
【０１１３】
他番組目次情報処理ステップは、判断ステップにて、最速番組目次情報を取得できた場合には、放送周波数にある他の番組目次情報である他番組目次情報を取得して処理を終了する。
【０１１４】
＜処理の流れ＞
【０１１５】
実施形態３においては、他番組目次情報取得処理の前に最速番組目次情報が取得可能であるかどうかの判定を入れる。
【０１１６】
図５に示すのは、実施形態３の放送サーチ方法の処理の流れである。
【０１１７】
最初に、特定の放送周波数に同調する（ステップＳ０５０１）。
【０１１８】
次に、最速番組目次情報の取得処理を行う（ステップＳ０５０２）。最速番組目次情報が再送周期の所定倍数の時間内に取得できれば、その周波数には地上デジタル放送が運用されていると判断し、他番組目次情報を取得し（ステップＳ０５０３）、受信情報を選局システムに登録して処理を終了する。当該周波数にて、最速番組目次情報が再送周期の所定倍数以内の時間に取得できないときは、ステップＳ０５０１に戻り、処理を繰り返す。
【０１１９】
＜効果＞
【０１２０】
このように、他番組目次情報より再送周期の短い最速番組目次情報の取得を利用することで、他番組目次情報のみでサーチを行った時に比べて、１周波数あたり約（＜他番組目次情報の再送周期の定数倍＞−＜最速番組目次情報の再送周期の定数倍＞）の時間だけ判定が速くなる。
【０１２１】
＜＜実施形態４＞＞
【０１２２】
＜実施形態４の概念＞
【０１２３】
実施形態４は、視聴可能なサービスの確認を、再送周期の長い番組目次情報の代わりに、再送周期の短い番組目次情報で行うことを特徴とする放送サーチ方法に関する。再送周期の短い番組目次情報のサーチを、特定の周波数についてのみ行うことに特徴がある。
【０１２４】
＜放送サーチ方法＞
【０１２５】
図６に示すのは、実施形態４の放送サーチ方法の説明図である。
実施形態４の放送サーチ方法は、判断ステップＳ０６０１と、他番組目次情報処理ステップＳ０６０２と、からなる。
【０１２６】
（判断ステップ）
【０１２７】
判断ステップは、複数種類の番組目次情報のうち、最も再送周期が短い最速番組目次情報を所定の時間内に取得できるか判断する。
【０１２８】
最速番組目次情報を取得できた場合には、他番組目次情報処理ステップにて他番組目次情報を取得し、受信情報を選局システムに登録し、処理を終了する。最速番組目次情報を取得できない場合には、他番組目次情報処理ステップにて他番組目次情報を取得せずに処理を終了する。
【０１２９】
（他番組目次情報処理ステップ）
【０１３０】
他番組目次情報処理ステップは、判断ステップにて、最速番組目次情報を取得できた場合には、放送周波数にある他の番組目次情報である他番組目次情報を取得し、判断ステップにて、最速番組目次情報を取得できない場合には、他番組目次情報を取得しない。
【０１３１】
判断ステップにて、最速番組目次情報を取得できた場合には、他番組目次情報を取得し、受信情報を選局システムに登録し、処理を終了する。判断ステップにて、最速番組目次情報を取得できない場合には、他番組目次情報を取得せずに処理を終了する。
【０１３２】
＜処理の流れ＞
【０１３３】
実施形態４においては、他番組目次情報取得処理の前に最速番組目次情報が取得可能であるかどうかの判定を入れる。
【０１３４】
図６に示すのは、実施形態４の放送サーチ方法の処理の流れである。
【０１３５】
最初に、最速番組目次情報の取得処理を行う（ステップＳ０６０１）。特定の周波数において、最速番組目次情報が再送周期の所定倍数の時間内に取得できれば、その周波数には地上デジタル放送が運用されていると判断し、ステップＳ０６０２の処理に進む。特定の周波数において、最速番組目次情報が再送周期の所定倍数以内の時間に取得できない場合はその周波数では地上デジタル放送は視聴不可能とし、他番組目次情報の取得処理は行わず、処理を終了する。
【０１３６】
次に、ステップＳ０６０１にて最速番組目次情報が取得できれば、他番組目次情報の取得処理を行い（ステップＳ０６０２）、受信情報を選局システムに登録し、処理を終了する。
【０１３７】
＜効果＞
【０１３８】
このように、他番組目次情報より再送周期の短い最速番組目次情報の取得を利用することで、他番組目次情報のみでサーチを行った時に比べて、約（＜他番組目次情報の再送周期の定数倍＞−＜最速番組目次情報の再送周期の定数倍＞）の時間だけ判定が速くなる。
【発明の効果】
従来のデジタル放送受信装置においては、その周波数でデジタル放送が受信可能かどうかの判定には、ＮＩＴの取得可否を用いていた。
【０１３９】
しかしながら、その瞬間にテレビが見られるかどうかという問題に限定すれば、ＰＡＴの取得可否判定のみで十分である。
【０１４０】
本件発明によれば、ある種の再送周期が長い番組情報の有無の確認を、他の再送周期が短い番組情報で行うことによって、より高速なデジタル放送の受信可否判定を行うことが可能となる。これにより、全周波数に対してデジタル放送が受信可能かどうかの確認を行う操作が飛躍的に高速になる。
【０１４１】
一例としては、ＮＩＴの伝送状態をＰＡＴで代用することにより、デジタル放送が視聴可能かどうかをＮＩＴの伝送状態を用いて判定した時よりも高速に判定することを可能となる。
【図面の簡単な説明】
【図１】実施形態１の放送サーチ装置のブロック図
【図２】実施形態１の放送サーチ装置のフローチャート
【図３】実施形態２の放送サーチ装置のブロック図
【図４】実施形態２の放送サーチ装置のフローチャート
【図５】実施形態３の放送サーチ方法
【図６】実施形態４の放送サーチ方法
【図７】従来の放送サーチ装置のブロック図
【図８】従来の放送サーチ装置のフローチャート
【符号の説明】
０１０１  同調部
０１０２  判断部
０１０３  他番組目次情報処理部
０１０４  未同調周波数有無判断部
Ｓ０２０１  同調ステップ
Ｓ０２０２  判断ステップ
Ｓ０２０３  他番組目次情報処理ステップ
Ｓ０２０４  未同調周波数有無判断ステップ
【図１】
2004289531.tif 000003
【図２】
2004289531.tif 000004
【図３】
2004289531.tif 000005
【図４】
2004289531.tif 000006
【図５】
2004289531.tif 000007
【図６】
2004289531.tif 000008
【図７】
2004289531.tif 000009
【図８】
2004289531.tif 000010